(57)【要約】【課題】台紙を開封したときに収容物を取り出し易く、本体内で収容物がバラバラになり難く、且つ収容物の収納保管に優れた容器として使用可能なブリスターパックを提供する。【解決手段】一方の面Ｐ１に開口し、他方の面Ｐ２に膨出する収容部２０が形成された本体１０と、収容部２０の開口面２１の一部２１ｐを塞ぐ第一の蓋体１２と、第一の蓋体１２の少なくとも一部と重なる第二の蓋体１５と、を備え、第一の蓋体１２と第二の蓋体１５とで開口面２１の全体が覆われている。【選択図】図２
2015074468.tif 000002
【特許請求の範囲】
【請求項１】
一方の面に開口し、他方の面に膨出する収容部が形成された本体と、
前記収容部の開口面の一部を塞ぐ第一の蓋体と、
前記第一の蓋体の少なくとも一部と重なる第二の蓋体と、を備え、
前記第一の蓋体と前記第二の蓋体とで前記開口面の全体が覆われていることを特徴とするブリスターパック。
【請求項２】
前記第二の蓋体を再封した際に、閉じた状態を維持する係止機構を備えていることを特徴とする請求項１に記載のブリスターパック。
【発明の詳細な説明】
【技術分野】
【０００１】
本発明は、ブリスターパックに関する。
【背景技術】
【０００２】
従来、歯ブラシや歯間フロス、歯間ブラシ等を収容する容器として、台紙の表面側で収容物が収容される本体がドーム形状に膨出しているブリスターパックが知られている。このようなブリスターパックの本体には、ブリスターパック内での収容物の回転や移動を防止するために、例えば特許文献１に示されているような収容物に合わせた形状の凹凸部を有するドーム形状が採用されている。
【先行技術文献】
【特許文献】
【０００３】
【特許文献１】特開２００８−１３７９号公報
【発明の概要】
【発明が解決しようとする課題】
【０００４】
ブリスターパックの収容物が歯間フロスや歯間ブラシである場合には、一つのブリスターパックに収容する収容物の数を多くし、消費者に数の多さを視認させるために、一定数毎にずらして複数段重ねにして収容する場合があった。
しかしながら、従来のブリスターパックでは、収容物が複数段重ねにして収容された場合に、ブリスターパックの台紙を開封して収容物を取り出すと、本体内で収容物がバラバラになり易く、収容物を取り出し難くなるだけでなく、収納保管し難いため、ブリスターパックを保管容器として利用できない問題があった。
【０００５】
本発明は、上記事情に鑑みてなされたものであって、台紙を開封したときに収容物を取り出し易く、本体内で収容物がバラバラになり難く、且つ保管容器として使用可能なブリスターパックを提供することを課題とする。
【課題を解決するための手段】
【０００６】
上記課題を解決するために、本発明は以下の構成を採用した。
即ち、本発明のブリスターパックは、一方の面に開口し、他方の面に膨出する収容部が形成された本体と、前記収容部の開口面の一部を塞ぐ第一の蓋体と、前記第一の蓋体の少なくとも一部と重なる第二の蓋体と、を備え、前記第一の蓋体と前記第二の蓋体とで前記開口面の全体が覆われていることを特徴とする。
上記の構成によれば、第二の蓋体が開封された際に、第一の蓋体で塞がれていない開口面の残部（以下、単に開口面の残部という）が開口され、開口面の残部に露出した収容物が容易に取り出し可能となる。この際、開口面の残部に露出した収容物以外の収容物は、第一の蓋体により収容部に係止され、安定的に収容されているため、本体内でバラバラになり難い。開口面の残部に露出した収容物が全て取り出された後、第一の蓋体が開封された際には、収容部の残りの収容物が容易に取り出し可能となる。従って、複数の収容物を一定数毎に複数段重ねにして収容する場合に、段のずらし寸法と開口面の残部の大きさや位置とを対応させれば、収容部の開口面が各段の収容物を取り出すために必要とされる部分毎に開口可能となる。それにより、取り出す段の収容物は取り出し易く、取り出す段以外の収容物は安定した姿勢で収容部内に収納保管されることでバラバラになり難くなり、ブリスターパックが保管容器として再使用可能となる。
【０００７】
また、本発明のブリスターパックは、前記第二の蓋体を再封した際に、閉じた状態を維持する係止機構を備えていることが好ましい。
上記の構成によれば、第二の蓋体の再封時に、開口面の残部に露出した収容物が、閉じた状態の第二の蓋体により収容部に係止され、安定的に収容されるため、本体内でより一層バラバラになり難くなる。従って、ブリスターパックの収納保管力が高められる。
【発明の効果】
【０００８】
本発明によれば、台紙を開封したときに収容物を取り出し易く、本体内で収容物がバラバラになり難く、且つ保管容器として使用可能なブリスターパックが提供される。
【図面の簡単な説明】
【０００９】
【図１】本発明の一実施形態のブリスターパックを示す斜視図である。
【図２】本発明の一実施形態のブリスターパックの各構成要素を示す斜視図である。
【図３】第二の蓋体を開封する前の本発明の一実施形態のブリスターパックを示す図であって、（ａ）は背面図であり、（ｂ）は側面図である。
【図４】第二の蓋体を開封したときの本発明の一実施形態のブリスターパックを示す図であって、（ａ）は背面図であり、（ｂ）は側面図である。
【図５】第二の蓋体を再封したときの本発明の一実施形態のブリスターパックを示す図であって、（ａ）は背面図であり、（ｂ）は側面図である。
【図６】第一の蓋体を開封したときの本発明の一実施形態のブリスターパックを示す図であって、（ａ）は背面図であり、（ｂ）は側面図である。
【発明を実施するための形態】
【００１０】
以下、本発明を適用した実施形態について、図面を参照しながら説明する。
【００１１】
図１は、本発明の一実施形態に係るブリスターパック１を示す斜視図である。図２は、ブリスターパック１の各構成要素を示す斜視図である。図１及び図２に示すように、ブリスターパック１は、少なくとも本体１０と、第一の蓋体１２と、第二の蓋体１５と、を有する。本実施形態のブリスターパック１は、本体１０と、第一の蓋体１２を備えた第一の台紙１１と、第二の蓋体１５を備えた第二の台紙１４と、を有する。
【００１２】
本体１０は、複数の歯間フロスＦ（収容物）を収容するための容器であり、一方の面Ｐ２に開口し、他方の面Ｐ１に膨出する収容部２０と、収容部２０の周縁に延設された周縁部２４と、を備えている。歯間フロスＦは、把持部と、把持部の一端に連設されているアーム部と、アーム部の先端間に張設されたフロス部から構成されている。収容部２０は、一方の面Ｐ２に複数の歯間フロスＦを任意の姿勢に揃えて、一定数毎にずらして複数段重ねに配置した際に、配置された複数の歯間フロスＦの他方の面Ｐ１側の外形に沿って、他方の面Ｐ１に膨出するように形成されている。
【００１３】
本体１０の材質としては、例えばポリエステル系樹脂、ポリカーボネート系樹脂、ポリエチレン系樹脂、ポリプロピレン系樹脂、ポリスチレン系樹脂等が挙げられ、透明性に優れる点から、ポリエステル系樹脂のポリエチレンテレフタレート樹脂が好適である。本体１０の厚み寸法は、例えば２００〜５００μｍであることが好ましい。
【００１４】
第一の台紙１１は、正面視矩形の第一の蓋体１２と、第一の蓋体１２の下縁及び側縁に延設された枠体１３と、から構成されている。ブリスターパック１において、枠体１３は本体１０の周縁部２４に接着され、第一の蓋体１２が正面視矩形の開口面２１の一部２１ｐ（本例では下側）を塞いでおり、開口面２１の残部に第一の取り出し窓２６が形成される。第一の台紙１１における第一の蓋体１２の側端と枠体１３との境界には、ミシン目３０が形成されている。ミシン目３０は、第一の台紙１１を貫通していてもよく、厚み方向の背面１１ｂから途中までの深さをもって切り込まれ、即ちハーフカットされることで構成されていてもよい。また、第一の台紙１１における第一の蓋体１２の底端と枠体１３との境界には、折り曲げ線３１が形成されている。折り曲げ線３１は、押し付け罫線であってもよく、厚み方向の本体１０側から途中までハーフカットされることで構成されていてもよい。
【００１５】
枠体１３は、第一の蓋体１２の上方に延出されている。即ち、ブリスターパック１において、枠体１３は第一の取り出し窓２６の側方に延出している。枠体１３の上端には、第二の蓋体１５を再封した際に、閉じた状態を維持する係止機構２２が設けられている。係止機構２２は、ブリスターパック１において枠体１３の上端から開口面２１に向けて突出するように形成されている。
【００１６】
第二の台紙１４は、正面視矩形の第二の蓋体１５と、第二の蓋体１５の周縁に延設された枠体１６と、から構成されている。第二の蓋体１５は、第一の蓋体１２を覆い、且つ開口面２１の全体を覆うように、第二の台紙１４に形成されている。ブリスターパック１において、枠体１６は第一の蓋体１２の枠体１３又は本体１０の周縁部２４に接着され、第二の蓋体１５が開口面２１全体を塞いでいる。第二の台紙１４における第二の蓋体１５の一方の側端と枠体１６との境界、及び、第二の蓋体１５の底端と枠体１６との境界には、ミシン目４０が形成されている。ミシン目４０は、第二の台紙１４を貫通していてもよく、厚み方向の背面１４ｂからハーフカットされることで構成されていてもよい。また、第二の台紙１４の第二の蓋体１５の他方の側端と枠体１６との境界には、折り曲げ線４１が形成されている。折り曲げ線４１は、押し付け罫線であってもよく、厚み方向の第一の蓋体１２側から途中までハーフカットされることで構成されていてもよい。
【００１７】
枠体１６には、ブリスターパック１を店頭に陳列する際に図示しない棒状部材等を貫通させる穴４２が設けられている。
【００１８】
次いで、ブリスターパック１の製造方法について説明する。
先ず、所定数の歯間フロスＦを一定数毎にずらして複数段重ねに配置したときの外形に合わせた形状及び大きさを有する本体１０と、第一の蓋体１２と、第二の蓋体１５と、を用意する。
【００１９】
次に、ブリスターパック１では、第二の台紙１４の前面１４ａの枠体１６と、第一の台紙１１の背面１１ｂの枠体１３とを接着する。更に、本体１０の収容部２０に所定数の歯間フロスＦを一定数毎に位置をずらし、複数段重ねにして収容する。その後、第一の台紙１１の前面１１ａの枠体１３と、本体１０の他方の面Ｐ２の周縁部２４とを接着する。第一の蓋体１２の背面１２ｂと、第二の蓋体１５の前面１５ａとは、剥離可能に当接させる。第二の台紙１４と第一の台紙１１との接着方法及び第一の台紙１１と本体１０との接着方法としては、例えばヒートシール剤やホットメルトタイプの接着剤等を用いた方法が一例として挙げられる。
【００２０】
次いで、ブリスターパック１の使用方法について説明する。
図３は第二の蓋体１５を開封する前のブリスターパック１を示す図であって、（ａ）は背面図（第二の蓋体１５側から見た図）であり、（ｂ）は側面図である。図４は第二の蓋体１５を開封したときのブリスターパック１を示す図であって、（ａ）は背面図であり、（ｂ）は側面図である。
【００２１】
先ず、図３に示すように、折り曲げ線４１を残し、ミシン目４０で第二の蓋体１５と枠体１６とを切り離す。即ち、第二の蓋体１５を本体１０とは反対側（図３の紙面手前側）の方向に向けて開く。これにより、図４に示すように、第二の蓋体１５が折り曲げ線４１で枠体１６と接続された状態で開き、第一の取り出し窓２６が開口する。この後、第一の取り出し窓２６に露出した歯間フロスＦを収容部２０から順次取り出し、使用する。
【００２２】
図５は第二の蓋体１５を再封したときのブリスターパック１を示す図であって、（ａ）は背面図であり、（ｂ）は側面図である。第一の取り出し窓２６に露出した歯間フロスＦを使用している途中で、第二の蓋体１５を再封する際には、図５に示すように、折り曲げ線４１を基点として第二の蓋体１５を閉じ、係止機構２２に係止する。第一の取り出し窓２６に露出した歯間フロスＦの使用を再開するために、第二の蓋体１５を再び開封する際には、係止機構２２を第二の蓋体１５とは反対側に少し引き上げ、第二の蓋体１５を本体１０とは反対側の方向に向けて、折り曲げ線４１を基点として折り戻す。これにより、第一の取り出し窓２６が再び開口する。露出した歯間フロスＦを収容部２０から順次取り出し、使用する。
【００２３】
図６は第一の蓋体１２を開封したときのブリスターパック１を示す図であって、（ａ）は背面図であり、（ｂ）は側面図である。第一の取り出し窓２６に露出した歯間フロスＦを収容部２０から全て取り出し、使用した後、図６に示すように、折り曲げ線３１を残し、ミシン目３０で第一の蓋体１２と枠体１３とを切り離す。即ち、第一の蓋体１２を本体１０とは反対側（図６の紙面手前側）の方向に向けて開く。これにより、第一の蓋体１２が折り曲げ線３１で枠体１３と接続された状態で開き、開口面２１全体が開口する。この後、開口面２１に露出した残りの歯間フロスＦを収容部２０から順次取り出し、使用する。
【００２４】
以上の手順により、一定数毎にずらして複数段重ねに収納された歯間フロスＦを段毎に、順次取り出し、使用することができる。
【００２５】
本発明の一実施形態に係るブリスターパック１は、一方の面Ｐ２に開口し、他方の面Ｐ１に膨出する収容部２０が形成された本体１０と、収容部２０の開口面２１の一部２１ｐを塞ぐ第一の蓋体１２と、第一の蓋体１２の少なくとも一部と重なる第二の蓋体１５と、を備え、第一の蓋体１２と第二の蓋体１５とで開口面２１の全体が覆われている。
この構成によれば、第二の蓋体１５が開封された際に、第一の取り出し窓２６が開口され、第一の取り出し窓２６に露出した歯間フロスＦが容易に取り出し可能となる。この際、第一の取り出し窓２６に露出した歯間フロスＦ以外の歯間フロスＦは、第一の蓋体１２により収容部２０に係止され、安定的に収容されているため、本体１０の内部でバラバラになり難い。第一の取り出し窓２６に露出した歯間フロスＦが全て取り出された後、第一の蓋体１２が開封された際には、開口面２１全体が開口され、開口面２１の一部２１ｐに露出した歯間フロスＦが容易に取り出し可能となる。
【００２６】
従って、図１に示すように、複数の歯間フロスＦを一定数毎に位置をずらし、複数段重ねにして収容する場合に、段のずらし寸法と第一の取り出し窓２６の大きさや位置とを対応させれば、収容部２０の開口面２１が各段の歯間フロスＦを取り出すために必要とされる部分毎に開口可能となる。そのため、多数の歯間フロスＦが収容された場合でも、ブリスターパック１の大きさの増大をある程度抑えられ、限られた店頭の陳列スペース等に、より多数の歯間フロスＦが陳列可能となる。また、このように多数の歯間フロスＦが収容された場合でも、取り出す段の歯間フロスＦは取り出し易く、取り出す段以外の歯間フロスＦは安定した姿勢で収容部２０に収容保管されることでバラバラになり難くなり、ブリスターパック１が保管容器として再使用可能となる。
【００２７】
また、ブリスターパック１の消費者は、第二の蓋体１５の開封前に第二の蓋体１５の背面１５ｂに印刷された歯間フロスＦの使用方法に関する説明等や、歯間フロスＦの製品情報、その他宣伝等の印刷内容を読み、第二の蓋体１５の開封後に、第二の蓋体１５の前面１５ａに印刷された印刷内容と、第一の蓋体１２の背面１２ｂに印刷された印刷内容と、を両方読み、それらの印刷内容を確認することができる。即ち、ブリスターパック１では、従来の容器より印刷表示スペースがより拡張される。また、第一の蓋体１２及び第二の蓋体１５にはミシン目等が形成されないため、印刷内容が消費者に、容易且つ明確に視認される。従って、ブリスターパック１の店頭表示性の向上が図られる。
【００２８】
また、本発明の一実施形態に係るブリスターパック１は、第二の蓋体１５を再封した際に、閉じた状態を維持する係止機構２２を備えている。
この構成によれば、第二の蓋体１５の再封時には、第一の取り出し窓２６に露出した歯間フロスＦが、閉じた状態の第二の蓋体１５により収容部２０に係止され、安定的に収容されることで本体１０内でより一層バラバラになり難く、ブリスターパック１の収納保管力が高められる。
【００２９】
以上、本発明を適用した実施形態について説明したが、本発明の趣旨を逸脱しない範囲で、上記の実施形態における構成要素を周知の構成要素に置き換えることは適宜可能である。
【００３０】
例えば、ブリスターパック１の収容物は、歯間フロスＦに限定されるものではなく、一定数毎に位置をずらし、複数段重ねにして収容部２０に収容可能なものであれば公知の歯間ブラシ等であってもよい。その場合、収容部２０の形状は、収容物の形状に合わせて適宜変更される。開口面２１の平面視形状は矩形に限定されず、矩形以外の形状とされていてもよい。
また、ブリスターパック１の収容物が三段以上の段数で重ねて収容部２０に収容されていてもよい。その場合は、第一の蓋体１２の大きさを段のずらし寸法に合わせて変更した複数の第一の台紙１１を、本体１０と第二の台紙１４との間に挟んで厚み方向に相互に接着すればよい。これにより、収容物が三段以上の段数で重ねて収容部２０に収容されていても、収容部２０の開口面２１が各段の収容物を取り出すために必要とされる部分毎に開口可能となる。このような場合、ブリスターパック１の印刷表示スペースはより一層拡張される。
更に、第二の蓋体１５は、第一の蓋体１２の全体ではなく、一部と重なっていてもよい。第一及び第二の蓋体１２，１５の平面視形状は矩形に限定されず、矩形以外の形状とされていてもよい。
更にまた、係止機構２２の形成箇所は、枠体１３の上端一箇所に限定されるものではなく、第一の取り出し窓２６を挟んで枠体１３の上端両側の二箇所とされていてもよく、それ以外の配置とされていてもよい。それにより、ブリスターパック１の収納保管力がより高められる。
【符号の説明】
【００３１】
１・・・ブリスターパック、１０・・・本体、１２・・・第一の蓋体、１５・・・第二の蓋体、２０・・・収容部、２１・・・開口面、２１ｐ・・・一部、２２・・・係止機構、Ｐ１…一方の面、Ｐ２…他方の面
【図１】
2015074468.tif 000003
【図２】
2015074468.tif 000004
【図３】
2015074468.tif 000005
【図４】
2015074468.tif 000006
【図５】
2015074468.tif 000007
【図６】
2015074468.tif 000008